(57)【要約】【課題】  拡張画像処理モードを実行する場合に、ユーザは画像形成装置で処理可能な設定情報と、画像処理装置で実行すべき設定情報とを識別して、実行すべき設定情報を選択できる。【解決手段】  拡張画像処理モードが指示された場合に、ＣＰＵ１０２は情報処理装置から取得する設定情報に対応する画像処理を画像形成装置で画像処理可能かどうかを判定する（Ｓ６０４）。そして、ＣＰＵ１０２は、取得した情報処理装置で実行可能な画像処理に関わる設定情報のうち、画像形成装置１００で実行可能と判定した画像処理に関わる設定情報と、情報処理装置で実行すべき画像処理に関わる設定情報とを表示手段に対して識別可能に表示する。【選択図】  図６
2011259084.tif 000002
【特許請求の範囲】
【請求項１】
読み取られた画像データを情報処理装置に転送し、当該情報処理装置において画像処理された前記画像データを取得して画像形成を行う拡張画像処理モードを実行可能な画像形成装置であって、
前記拡張画像処理モードの実行を指示する指示手段と、
前記情報処理装置において前記画像データに対して実行可能な画像処理に関わる設定情報を前記情報処理装置から取得する取得手段と、
前記取得手段によって取得された前記設定情報に対応する画像処理を前記画像形成装置で画像処理可能かどうかを判定する判定手段と、
前記拡張画像処理モードが指示された場合に、前記判定手段によって前記画像形成装置で実行可能と判定された画像処理に関わる設定情報と、前記情報処理装置で実行すべき画像処理に関わる設定情報とを、表示手段に対して識別可能に表示させる表示制御手段と、
を備えることを特徴とする画像形成装置。
【請求項２】
前記表示手段に表示される複数の設定情報の中から、前記画像データに実行すべき設定情報を選択する選択手段と、
前記選択手段により選択される設定情報が前記画像形成装置で実行すべき画像処理に関わる設定情報である場合は前記画像データを前記情報処理装置に転送しないように制御し、前記選択手段により選択される設定情報が前記情報処理装置で実行すべき画像処理に関わる設定情報である場合は前記画像データを前記情報処理装置に転送するように制御する転送制御手段と、
を備えることを特徴とする請求項１に記載の画像形成装置。
【請求項３】
前記設定情報は、前記情報処理装置または前記画像形成装置で実行可能な画像処理に関わり、当該画像処理は、両面画像処理、ページレイアウト処理、カラー画像処理、モノクロ画像処理を含むことを特徴とする請求項１又は２に記載の画像形成装置。
【請求項４】
読み取られた画像データを情報処理装置に転送し、当該情報処理装置において画像処理された前記画像データを取得して画像形成を行う拡張画像処理モードを実行可能な画像形成装置の制御方法であって、
前記拡張画像処理モードの実行を指示する指示工程と、
前記情報処理装置において前記画像データに対して実行可能な画像処理に関わる設定情報を前記情報処理装置から取得する取得工程と、
前記取得工程によって取得された前記設定情報に対応する画像処理を前記画像形成装置で画像処理可能かどうかを判定する判定工程と、
前記拡張画像処理モードが指示された場合に、前記判定工程によって前記画像形成装置で実行可能と判定された画像処理に関わる設定情報と、前記情報処理装置で実行すべき画像処理に関わる設定情報とを、表示手段に対して識別可能に表示させる表示制御工程と、
を備えることを特徴とする画像形成装置の制御方法。
【請求項５】
前記表示手段に表示される複数の設定情報の中から、前記画像データに実行すべき画像処理に関わる設定情報を選択する選択工程と、
前記選択工程で選択される設定情報が前記画像形成装置で実行すべき画像処理に関わる設定情報である場合は前記画像データを前記情報処理装置に転送しないように制御し、前記選択工程で選択される設定情報が前記情報処理装置で実行すべき設定情報である場合は前記画像データを前記情報処理装置に転送するように制御する転送制御工程と、
を備えることを特徴とする請求項４に記載の画像形成装置の制御方法。
【請求項６】
請求項４または５に記載の画像形成装置の制御方法をコンピュータに実行させることを特徴とするプログラム。
【発明の詳細な説明】
【技術分野】
【０００１】
本発明は、情報処理装置の画像処理機能と連携して画像処理をおこなう画像形成装置、画像形成装置の制御方法、プログラムに関する。
【背景技術】
【０００２】
近年、装置サイズがコンパクトな画像形成装置の分野において、コスト競争が激しいだけでなく、更なる小型化、かつ高機能であることが求められている。このような廉価な画像形成装置において、限定されたハードウェア資源の中で最大限の機能やパフォーマンスを提供するために、画像形成装置と情報処理装置が連携して情報処理を行う技術がある。
【０００３】
これは、画像形成装置と外部装置（サーバやＰＣ（ホストコンピュータ）など）が連携して情報処理・画像処理を行い、画像形成装置のハードウェア資源では提供できない拡張的な機能を実現する技術（拡張コピー機能）である。例えば、特許文献１の技術を用いる事で画像形成装置の構成を簡略化でき、その結果として安価な機器を提供する事が可能となる。
【０００４】
特許文献１を応用した技術の一例を以下に説明する。
特許文献１によると、コピー機能を提供する為に、画像形成装置とホストコンピュータ（以下、ＰＣという）等の外部装置とを接続し、画像形成装置で得た画像をＰＣにて画像処理している。従来のコピー機能では画像形成装置にて行っていた画像処理をＰＣにて行う事で、画像形成装置のハードウェア資源を抑制している。
【０００５】
また、特許文献１では、画像形成装置の操作（原稿読み取り開始や各種設定）もＰＣのユーザインタフェースを用いて行っている。
一方、画像形成装置の操作部にて上記特許文献１のようなコピー機能を操作できる拡張コピー機能（擬似コピー機能）が提案されている。
これは、画像形成装置のハードウェア資源では実現できない拡張的なコピー機能を、ＰＣなどの外部装置の資源を用いて処理する事で実現するコピー機能で、その操作も画像形成装置の操作部にて行う事ができるという技術である。
【０００６】
外部装置には、画像形成装置の原稿読み取り機能を制御するスキャンドライバプログラムと、印刷機能を制御するプリントドライバプログラムがインストールされている。
画像形成装置は、ユーザのコピースタートの指示を受けると外部装置へその指示を通知し、外部装置は各ドライバプログラムに従って、原稿読み取り、各種画像処理、印刷を実行する。原稿読み取りと印刷は画像形成装置にて行うが、各種画像処理は外部装置のハードウェア資源とドライバプログラムによって実行される。
本技術によって、画像形成装置に備わった記憶手段の容量が少ない場合でも、画像形成装置に代わって外部装置の記憶手段に画像データの蓄積をさせる事で、多ページのレイアウト処理やソート処理が実現可能になる。
更には、画像形成装置には必要最低限のハードウェア画像処理手段のみを構成し、複雑高度な画像処理・色処理などは外部装置にインストールされた画像処理プログラムによって行う事で、画像形成装置のコストダウンも図りつつ、高性能化が可能になる。
【先行技術文献】
【特許文献】
【０００７】
【特許文献１】特開平８−１８６６７７号公報
【発明の概要】
【発明が解決しようとする課題】
【０００８】
画像形成装置と、ＰＣなどの外部装置に組み込まれたプログラムとを連携させて実現する際に、ＰＣ側に予めどのような設定で処理を行いたいかの設定情報を登録しておくことでユーザは予め登録しておいた設定情報を選択することで画像形成装置の機能を実行することができるシステムが存在するがこのようなシステムを拡張コピー機能に応用する場合、ＰＣ側で設定する設定情報は任意の画像形成装置に対してのみ利用されるものではなく、同一ネットワーク内に存在するデバイス全てから利用可能である。
例えば４ｉｎ１の設定をＰＣ側で処理するための設定情報を選択した場合あるデバイスではページ集約の機能を持っていないため、画像形成装置側でスキャンしたデータをＰＣ側で４ｉｎ１の処理を行った上で画像形成装置にデータを戻し印刷することになる。
しかしながら別のデバイスでは装置側の機能としてページ集約の機能を持っており、わざわざＰＣにデータを送信する必要がない場合にも送ってしまうことで、画像形成装置とＰＣ間のデータ転送の処理の時間分余分に時間を有してしまうという課題があった。
【０００９】
本発明は、上記の課題を解決するためになされたもので、本発明の目的は、拡張画像処理モードを実行する場合に、ユーザは画像形成装置で処理可能な画像処理に関わる設定情報と、画像処理装置で実行すべき画像処理に関わる設定情報とを識別して、実行すべき設定情報を選択できる仕組みを提供することである。
【課題を解決するための手段】
【００１０】
本発明に係る画像形成装置は、以下の特徴的構成を備える。
読み取られた画像データを情報処理装置に転送し、当該情報処理装置において画像処理された前記画像データを取得して画像形成を行う拡張画像処理モードを実行可能な画像形成装置であって、前記拡張画像処理モードの実行を指示する指示手段と、前記情報処理装置において前記画像データに対して実行可能な画像処理に関わる設定情報を前記情報処理装置から取得する取得手段と、前記取得手段によって取得された前記設定情報に対応する画像処理を前記画像形成装置で画像処理可能かどうかを判定する判定手段と、前記拡張画像処理モードが指示された場合に、前記判定手段によって前記画像形成装置で実行可能と判定された画像処理に関わる設定情報と、前記情報処理装置で実行すべき画像処理に関わる設定情報とを、表示手段に対して識別可能に表示させる表示制御手段と、
を備えることを特徴とする。
【発明の効果】
【００１１】
本発明によれば、拡張画像処理モードを実行する場合に、ユーザは画像形成装置で処理可能な画像処理に関わる設定情報と、画像処理装置で実行すべき画像処理に関わる設定情報とを識別して、実行すべき設定情報を選択できる。
【図面の簡単な説明】
【００１２】
【図１】画像形成システムの構成を説明するブロック図である。
【図２】操作パネルに表示されるユーザインタフェースの一例を示す図である。
【図３】画像形成装置におけるソフトウェアの構成を示す図である。
【図４】画像形成装置とＰＣとのデータ処理状態を説明する図である。
【図５】操作パネルに表示されるユーザインタフェースの一例を示す図である。
【図６】画像形成装置の制御手順を示すフローチャートである。
【図７】画像形成装置が管理する設定情報の一例を説明刷る図である。
【図８】操作パネルに表示されるユーザインタフェースの一例を示す図である。
【図９】操作パネルに表示されるユーザインタフェースの一例を示す図である。
【発明を実施するための形態】
【００１３】
次に本発明を実施するための最良の形態について図面を参照して説明する。
〔第１実施形態〕
以下、本発明の発明を実施するための最良の形態について図面を用いて説明する。
図１は、本実施形態を示す画像形成装置を含む画像形成システムの構成を説明するブロック図である。本例は、画像形成装置が複数のＰＣがローカル、或いはネットワークを介して接続されるシステム例である。したがって、本発明は、ネットワーク接続されるＰＣと画像形成装置とから構成されるシステムであっても、ローカル接続されるＰＣと画像形成装置とから構成されるシステムであっても適用可能である。なお、本実施形態において、画像形成装置１００は、読み取る画像データを情報処理装置であるＰＣ１１７に転送して画像処理された画像データを取得して画像形成を行うことが可能に構成されているものとする。
【００１４】
図１に示すように、画像形成装置１００は、印刷部１０７、読取部１０９、操作パネル１１０、回線Ｉ／Ｆ１１２、及び、これらの制御を司るコントローラ部１０１にて構成される。
コントローラ部１０１は、ＣＰＵ１０２、ＲＡＭ１０３、ＲＯＭ１０４、印刷部Ｉ／Ｆ１０６、読取部Ｉ／Ｆ１０８、ＭＯＤＥＭ１１１、ＵＳＢ  Ｉ／Ｆ１１５、ネットワークＩ／Ｆ１１８を含む。ここで、各ブロックはシステムバス１０５にて接続されている。
【００１５】
ＣＰＵ１０２は、各種制御プログラムに従って各ブロックを総括的に制御する。各種制御プログラムは、ＲＯＭ１０４のプログラム領域に記憶された制御プログラムを読み出す事によって実行される。或いは、ＣＰＵ１０２は、ＲＯＭ１０４のプログラム領域に記憶された圧縮されたデータをＲＡＭ１０３へ伸張、展開して実行される。また、図示しないハードディスクドライブ（ＨＤＤ）に前述の各種制御プログラムを圧縮状態／非圧縮状態で格納してもよい。
【００１６】
ネットワークＩ／Ｆ１１８は、ネットワーク（ＬＡＮ）１２０などを介してホストコンピュータ１１７（ＰＣという）との通信処理を行う。
ネットワークＩ／Ｆ１１８とネットワーク１２０とは、ＬＡＮケーブル１１９などの通信ケーブルで接続される。ＭＯＤＥＭ１１１は、回線Ｉ／Ｆ１１２を介して公衆回線網１１４と接続し、図示しない他の画像形成装置やファクシミリ装置、電話機などと通信処理を行う。回線Ｉ／Ｆ１１２と公衆回線網１１４とは、一般的に電話線１１３などで接続される。
印刷部Ｉ／Ｆ１０６は、印刷部１０７（プリンタエンジン）に画像信号を出力するインタフェースを担う。また、読取部Ｉ／Ｆ１０８は、読取部１０９（スキャナエンジン）からの読取画像信号を入力するインタフェースを担う。ＣＰＵ１０２は、読取部Ｉ／Ｆ１０９より入力された画像信号を処理し、記録画像信号として印刷部Ｉ／Ｆ１０６へ出力する。
【００１７】
ＣＰＵ１０２は、ＲＯＭ１０４のフォント領域に記憶されたフォント情報を用いて、操作パネル１１０の表示部に文字や記号を表示したり、ユーザの指示を受けた操作パネル１１０からの指示情報を受けたりする。
また、ＲＯＭ１０４のデータ領域には、ＣＰＵ１０２によって画像形成装置１００の装置情報や、ユーザの電話帳情報、部門管理情報などが記憶され、ＣＰＵ１０２により必要に応じて読み出され、必要に応じて更新される。
【００１８】
図２は、図１に示した操作パネル１１０に表示されるユーザインタフェースの一例を示す図である。本実施形態では、ＰＣ１１７と連携して、つまり、読み取る画像データをＰＣ１１７に転送して画像処理された画像データを取得して画像形成を行う拡張画像処理モードを備える。本実施形態では、拡張コピーを例として説明するが、他の機能であってもよい。例えば画像形成装置が読み取った画像データにＰＣ１１７で生成したロゴ、文字、画像をアドインしたりする処理、ウォータマーク処理、ハーフトーン処理、解像度変換処理、回転、拡大、縮小機能等などの機能であってもよい。
【００１９】
本実施例における画像形成装置１００は、前述の読取部１０９と印刷部１０７によるコピー機能や、読取部１０９とＵＳＢ  Ｉ／Ｆ１１５によるスキャン機能などを有するものとする。加えて、ＭＯＤＥＭ１１１によるファクシミリ機能や、ＵＳＢ（Ｕｎｉｖｅｒｓａｌ  Ｓｅａｒｉａｌ  Ｂｕｓ）１１６やネットワーク１２０経由でＰＣ１１７から指示を受けた印刷（プリント）を行う機能も有するものとする。
操作パネル１１０について以下に説明する。
操作パネル１１０には、上述した機能を選択するファンクションキー２０１〜２０４があり、ユーザは使用したい機能のボタンを押下する。
また、ユーザに設定状態や画像形成装置１００の機器状態を通知する為の表示部２０５を有する。矢印キー２０６は、表示部２０５に表示されたカーソルなどの移動に用いられる。矢印キー２０６は、上下左右４つのボタンがある（図２を参照）。矢印キーの中央には、ＯＫキー２０７が配置され、設定や問い合わせに対する「決定キー」の機能を有する。
【００２０】
例えば、コピーの設定（用紙サイズ）を変更したい場合、コピーボタンとして機能するファンクションキー２０１を押下してコピー機能画面に入る。そして、矢印キー２０６で変更したい項目（用紙サイズ）を選び、ＯＫキー２０７を押下すると、選択可能な設定画面に遷移する。矢印キー２０６にて所望の設定の位置にカーソルを移動させ、ＯＫキー２０７を押す事で設定を決定する事ができる。
【００２１】
コピー部数やファクシミリ機能における電話番号の入力などには、ユーザはテンキー２０８を用いる。
コピーやスキャンやファクシミリのスタートを指示するキーとして白黒スタートキー２０９やカラースタートキー２１０がある。
本実施形態ではカラーコピー機能を想定してカラースタートキー２１０を図示した。
一方、モノクロ読み取り機能、或いはモノクロ印刷機能しか有さない画像形成装置では、スタートキーは白黒スタートキー２０９のみでも構わない。更に、原稿を読み取った時にカラー原稿かモノクロ原稿かを判別可能な機能を有する画像形成装置においても、図に示すスタートキーに限らない。
ストップキー２１１は。各機能の動作を停止させる指示を行うキーである。一方、動作を停止させる手段として、ユーザは、状態確認・停止キー２１２を使って現在画像形成装置で行っている処理の状態確認画面より、停止したい処理を選択して停止させる事ができる。その場合も、選択・決定には前述の矢印キー２０６とＯＫキー２０７を用いる。
【００２２】
なお、印刷部１０７の詳細は説明しないが、カラー画像形成、モノクロ画像形成のいずれも可能であり、複数ページの画像データを１つのページにレイアウト処理を行うページ集約機能（Ｎｉｎ１機能）を備える。ただし、情報処理装置におけるページ集約機能と、画像形成装置のページ集約機能とには、メモリ搭載量等の制限で、レイアウト可能なページ数が異なる場合がある。
【００２３】
図３は、図１に示した画像形成装置におけるソフトウェアの構成を示す図である。なお、各種ソフトウェアはコントローラ部１０１内に存在する。
図３において、プリント処理部３０１は、印刷部１０７を制御するソフトウェアモジュールであり、印刷処理の実行を行う。スキャン処理部３０２は、読取部１０９を清書するソフトウェアモジュールであり、スキャン処理の実行を行う。
設定情報表示部３０３は、操作パネルの制御を行うソフトウェアモジュールであり、操作パネルへの表示の制御を行う。設定情報管理部３０６は、ネットワークＩ／Ｆ１１８から受信した外部装置が持つ設定情報を管理するためのソフトウェアモジュールである。なお、設定情報はＰＣ１１７が常に同一ネットワーク内にブロードキャストしているもので、設定情報管理部３０６は設定情報を受信時にＲＡＭ１０３内に受信データを保存する。
また、拡張コピー機能要求が行われた際には設定情報管理部３０６がＲＡＭ１０３から保存されている全てのＰＣの設定情報の取得を行う。実行可否判定部３０５は設定情報が当該画像形成装置１００上で実行可能か否かを判定するモジュールである。表示制御部３０４は前記実行可否判定部３０５で実行可能であると判定された時に表示をしない、網掛け表示にする、画面遷移を行う等の表示制御を行うソフトウェアモジュールである。
【００２４】
本実施形態における拡張コピーの一例を、図４及び図５を用いて説明する。
図４は、図１に示した画像形成装置とＰＣ１１７とのデータ処理状態を説明する図である。本例は、画像形成装置１００と外部装置としてホストコンピュータ（ＰＣ）１１７とを連携させて実現する拡張コピー動作のシーケンス例に対応する。なお、本実施形態において、拡張コピーとは、画像形成装置１００と当該画像形成装置１００にＵＳＢ１１６やネットワーク１２０を介して接続されたＰＣ１１７とを組み合わせて実現するコピー機能を呼ぶものとする。また、図４において、Ｓ４０１〜Ｓ４０７は各ステップを示す。
これは、画像形成装置１００のハードウェア資源では実現できない機能を、外部装置であるＰＣ１１７などのハードウェア資源（当該ハードウェア資源に格納された制御プログラムを含む）を用い、双方が連携して機能実現するものである。
【００２５】
図５は、図２に示した操作パネル１１０の表示部２０５に表示されるユーザインタフェースの一例を示す図である。図５において、（Ａ）〜（Ｄ）は、コピー機能、及び拡張コピー機能が選択された場合の表示画面である。以降、表示部に表示される画面をＵＩ画面（Ｕｓｅｒ  Ｉｎｔｅｒｆａｃｅ画面）と表現する。
図５のＵＩ画面（Ａ）は、ファンクションキー２０１が押下されたときに表示されるＵＩ画面である。
表示部５０１にてコピー機能の代表的な設定状態やステータス（状態）情報が表示される。また、表示部５０２は、各種設定項目が列挙され、矢印キー２０６の上下キーによってカーソルを移動させて、ＯＫキー２０７によって選択・決定される。
【００２６】
なお、設定項目は、表示されている３つ以外にもあるため、矢印キー２０６の下キーを押していくと、下方に項目が続いて表示される。５０３はスクロールバーで、表示部５０２に表示すべき設定項目を選択する際に指示される。
画像形成装置１００を操作するユーザにより、ファンクションキーの拡張コピーキー２０２が押下されると、画像形成装置１００に拡張コピー機能要求が行われ（Ｓ４０１）、表示部２０５の画面表示は図５のＵＩ画面（Ｂ）に遷移する（Ｓ４０２）。
本実施形態では、通常のコピー機能のＵＩ画面と区別する為、拡張コピー機能のＵＩ画面である旨を通知する表示５１１が追記されるとよい。各種設定項目も、拡張コピーで実現可能になる設定項目が追加される。
【００２７】
拡張コピー機能は、画像形成装置１００に接続されているＰＣ１１７と連携して機能を実現する。従って、連携するＰＣを選択する必要がある。
図５のＵＩ画面（Ｃ）は、前記のようにＰＣを選択する画面の一例を示している。
本実施形態では、背景が黒く、文字が白色に反転している項目カーソルの位置５２２を示している。このような表示状態で、上記ユーザが使用するＰＣを決定する場合はＯＫキー２０７を押下する。
一方、拡張コピー機能の１つの実施形態として、ＰＣ１１７上の拡張コピーアプリケーションに設定情報を選択させる場合が想定される。
これは、ＰＣ１１７にてユーザが予め拡張コピーの設定を数種類（１つ以上）設定しておき、画像形成装置１００にて拡張コピー機能を実行する際に、ユーザは予め設定しておいた拡張コピー設定を選択するだけにするというものである。この場合の、設定選択画面が図５のＵＩ画面（Ｄ）である。
【００２８】
ＰＣ１１７側で設定する項目としては、原稿種類がカラーかモノクロか、原稿サイズ、印刷する紙のサイズ（倍率）、レイアウト、解像度、等が挙げられる。本実施例においては前述の設定項目を挙げたが、その他のコピーに関連する設定項目があってもよい。
次に、ユーザが白黒スタートキー２０９またはカラースタートキー２１０を押下すると、拡張コピーを開始する（Ｓ４０３）。そして、画像形成装置１００がスキャンしたデータをＰＣ１１７に送信し（Ｓ４０４）、選択された設定情報に従ってＰＣ１１７上で画像処理を行った後に（Ｓ４０５）、ＰＣ１１７はプリントデータを作成し画像形成装置１００に送信する（Ｓ４０６）。
そして、画像形成装置１００はプリントデータをＰＣ１１７から受信して印刷を実行する（Ｓ４０７）。これが拡張コピー処理の一連の流れに対応する。
【００２９】
図６は、本実施形態を示す画像形成装置の制御手順を示すフローチャートである。本例は、拡張コピーにおいて自機で実行できる設定情報は表示制御部３０４により制限する例である。なお、各ステップは、ＣＰＵ１０２がＲＯＭ１０４に記憶された制御プログラムをＲＡＭ１０３にロードして実行することで実現される。以下、ＰＣ１１７より画像データに対して実行可能な画像処理に関わる設定情報を取得して、取得した設定情報に対応する画像処理を画像形成装置１００で画像処理可能かどうかを判定して、設定情報を表示する制御を説明する。ここで、設定情報には、コピーやスキャンに関する設定パラメータが含まれる。なお、設定情報の一例については、図７において詳述する。
【００３０】
本実施形態では、前述したようにＰＣ１１７側で設定した設定情報が画像形成装置１００側で実行可能な処理であった場合に図４のシーケンス通りに拡張コピーの実行は行わないことにある。これによって画像形成装置１００とＰＣ１１７間で発生するデータ転送分の処理の遅れを短縮することができる。
【００３１】
まず、拡張コピーキーとしてのファンクションキー２０２が押下されると、画像形成装置１００に拡張コピー機能要求が行われ（Ｓ６０１）、設定情報管理部３０６がＲＡＭ１０３からＰＣ／設定情報一覧の取得を行う（Ｓ６０２）。ここで、拡張コピーキー２０２は、情報処理装置を利用する拡張画像処理モードを指示する手段であり、この拡張コピーキー２０２の押下を受け付けることで、ＣＰＵ１０２は拡張画像処理モードが指示されたものと判定する。
ＰＣ／設定情報は、例えば図７のようなＰＣ／設定情報リスト７００であり、設定情報の作成を行ったＰＣの名前を示すＰＣ名称７０１とその設定情報の名前を示す設定情報名称７０２と各種機能の設定値で表される。
本実施形態ではカラーかモノクロかを示すカラー／モノクロ７０３と両面印刷が可能かどうかを示す両面印刷７０４とレイアウトをどのように行うかを示すページ集約７０５を一例としてあげている。しかし、ＰＣ／設定情報リスト７００には画像形成装置１００が持つ様々な機能が含まれる可能性がある。
次に実行可否判定部３０５により設定情報が当該画像形成装置上で実行可能か否かの判定を行う（Ｓ６０３）。この判定は実行可能か否かの判定は前記ＰＣ／設定情報リスト７００と画像形成装置１００と図７に示す仕様７０６の比較を行うことで判定する。
【００３２】
例えば画像形成装置１００の仕様７０６としてはカラー／モノクロの両方に対応、両面印刷が可能、ページ集約に関わる設定情報７１１は４ｉｎ１までとなっている。それに対して、ＰＣ１１７から取得した設定情報７０７、７０８、７０９、７１０の４つを比較してみるとカラー／モノクロ７０３と両面印刷７０４に関しては画像形成装置１００の仕様７０６として機能を満たしている。
ただし、ページ集約７０５に関しては画像形成装置１００の仕様としては４ｉｎ１のため、１６ｉｎ１と８ｉｎ１が画像形成装置１００上では実行できない。
設定情報７０９と設定情報７１０に関しては実行可否判定部３０５により全ての機能が画像形成装置１００上で実行可能と判定され、実行可能情報として区別される（Ｓ６０４）。
次に、ＰＣ１１７から取得した全ての設定情報と画像形成装置１００が記憶する設定情報との比較確認処理が終了したとＣＰＵ１０２が判定した場合（Ｓ６０６）、Ｓ６０７へ進む。そして、ＣＰＵ１０２は表示制御部３０４を実行することで、操作パネル１１０の表示部２０５に図８に示すＵＩ画面（Ｅ）のようにＰＣ／設定情報一覧の表示を行い（Ｓ６０７）、本処理を終了する。
本実施形態では、ＰＣ１１７から取得したＰＣ１１７で実行可能な画像処理に関わる設定情報のうち、実行可否判定部３０５が画像形成装置１００で実行可能と判定した設定情報とを比較して判定処理する。そして、その判定結果に従いＰＣ１１７で実行すべき設定情報と画像形成装置１００で実行すべき設定情報とを表示制御部３０４が表示部２０５に対して識別可能に表示する。
【００３３】
具体的には、表示画面は図５で説明したものとほぼ同様である。しかしながら、ＵＩ画面（Ｄ）の設定情報選択画面が異なり、図８のＵＩ画面（Ｅ）のように表示制御部３０４によって当該画像形成装置１００上で実行可能情報として区別されたものに関しては８０１のように網掛け表示をしている。
この時網掛けの表示のないものを選択して実行した場合に前記の図４のシーケンスの通りに拡張コピーのシーケンスを実行する。この時網掛けの表示の部分を選択した場合には通常のコピー画面である図８（Ａ）の画面に戻る。
【００３４】
図５のＵＩ画面（Ｂ）に示した拡張コピーの設定画面には表示されていた［拡張］の表示は、図８のＵＩ画面（Ａ）に示すように表示部８０２のように表示されなくなる。
またその際、ＵＩ画面（Ａ）の画面で矢印キー２０６の下ボタンをクリックし他の設定項目を確認すると、ＵＩ画面（Ｅ）の表示部８０１からユーザが選択した設定情報８０５が反映された状態となる。ここでは、図７に示した設定情報７０９を選択している状態に対応する。
なお、操作パネル１１０に表示された図８に示すＵＩ画面（Ｅ）に表示される複数の設定情報の中から、ユーザはタッチパネルを使用して画像データに実行すべき設定情報を選択する。
ここで、ユーザにより選択される設定情報が画像形成置１００で実行すべき設定情報である場合は、ＣＰＵ１０２は読み取った画像データはＰＣ１１７へ転送しないように制御する。一方、ユーザにより選択される設定情報がＰＣ１１７で実行すべき設定情報である場合は、ＣＰＵ１０２は読み取った画像データをＰＣ１１７に転送するように画像データの転送制御を実行する。つまり、たとえＰＣ１１７と画像形成装置１００で同等の画像処理機能を備える場合、従来のように拡張コピーが選択された場合に、画像形成装置１００で実行可能な画像処理に関わる設定情報が選択された場合は、ＣＰＵ１０２は読み取った画像データをＰＣ１１７に転送しないことが可能となる。
【００３５】
以上、本実施形態によれば、画像形成装置１００上で実行可能な処理はＰＣ１１７に処理を依頼することなく実行可能なため、画像形成装置１００とＰＣ１１７との間に発生するデータ転送にかかる時間を削減することが出来る。
なお、本実施形態では、設定情報としてＰＣ１１７または画像形成装置１００で実行可能な画像処理に関わる情報の例を示した。より具体的には、当該画像処理は、両面画像処理、ページレイアウト処理、カラー画像処理、モノクロ画像処理の例を示したが、これは一例であって、他の画像処理が含まれる場合も本発明を適用可能である。
【００３６】
〔第２実施形態〕
上記実施形態では、実行可否判定部３０５により全ての機能が画像形成装置１００上で実行可能と判定された際に、図８に示すＵＩ画面（Ｅ）のように網掛け表示する場合について説明した。
これに対して、本実施形態では、図９に示すＵＩ画面（Ｆ）に示すように表示制御部３０４によって当該画像形成装置１００上で実行可能情報として区別されたものに関しては、表示部９０１のように非表示としても良い。本実施形態では、図８のＵＩ画面（Ｅ）の網掛け表示した箇所が表示されなくなる。
【００３７】
以上、本実施形態によれば、画像形成装置１００上で実行可能な画像処理に関わる設定情報は非表示としてしまうことで、ユーザから選択することがなくなるため、ユーザに拡張コピーが必要な処理だけを選択させることができるようになる。
即ち、拡張画像処理モードを実行する場合に、ユーザは画像形成装置で処理可能な画像処理に関わる設定情報と、画像処理装置で実行すべき画像処理に関わる設定情報とを識別して、実行すべき設定情報を選択できる。
また、拡張画像処理モードが指示された場合であっても、画像形成装置で処理すべき設定情報が選択された場合は、読み取った画像データを情報処理装置に転送せずに済み、画像処理結果を得るまでの時間を短縮できる。
【００３８】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
本発明は上記実施形態に限定されるものではなく、本発明の趣旨に基づき種々の変形（各実施形態の有機的な組合せを含む）が可能であり、それらを本発明の範囲から除外するものではない。
【００３９】
本発明の様々な例と実施形態を示して説明したが、当業者であれば、本発明の趣旨と範囲は、本明細書内の特定の説明に限定されるのではない。
【符号の説明】
【００４０】
１００  画像形成装置
１０２  ＣＰＵ
１１７  ＰＣ  
【図１】
2011259084.tif 000003
【図２】
2011259084.tif 000004
【図３】
2011259084.tif 000005
【図４】
2011259084.tif 000006
【図５】
2011259084.tif 000007
【図６】
2011259084.tif 000008
【図７】
2011259084.tif 000009
【図８】
2011259084.tif 000010
【図９】
2011259084.tif 000011